(57)【特許請求の範囲】
【請求項１】
給湯装置各部を制御する制御マイコンを備えた制御部を有し、給湯装置が一定の条件を満たすと前記制御部が通常モードから給湯装置の消費電力を抑制する省電力モードに移行する給湯装置において、
前記制御マイコンは、前記通常モードにあるときにはアクティブモードとされ、前記省電力モードにあるときにはアクティブモードからスリープモードに遷移するように構成され、
前記給湯装置が備えるセンサの出力信号を前記制御マイコンに入力するための入力回路として、前記通常モード時に前記センサの出力信号を前記制御マイコンに入力する第１入力回路と、前記省電力モード時に前記センサの出力信号に基づいて前記制御マイコンの割り込み要求信号を生成し、前記制御マイコンのキー割り込み入力端子に入力する第２入力回路とを備え、
前記制御マイコンは、前記第２入力回路からの割り込み要求信号に基づいて、前記スリープモードから前記アクティブモードに復帰して前記省電力モードを解除する制御構成を備えている
ことを特徴とする給湯装置。
【請求項２】
前記第２入力回路に入力されるセンサの出力は、凍結予防用として用いられる温度センサの出力であることを特徴とする請求項１に記載の給湯装置。
【請求項３】
前記第２入力回路に入力されるセンサの出力は、水量センサの出力であることを特徴とする請求項１に記載の給湯装置。
【発明の詳細な説明】
【技術分野】
【０００１】
この発明は給湯装置に関し、より詳細には、給湯待機状態等にあるときに給湯装置での電力消費を抑制する省電力モードを備えた給湯装置に関する。
【背景技術】
【０００２】
近時の給湯装置においては、給湯待機状態が一定時間継続したような場合などに、該給湯装置での電力消費を抑制するための措置として、給湯装置を通常モードから省電力モードに移行させるものが提案されている（特許文献１及び２参照）。
【０００３】
この省電力モードは、たとえば、給湯装置が給湯待機状態にあるときに、リモコンの表示部（蛍光表示管や液晶表示装置など）の表示を非表示状態とすることにより表示部での電力消費を抑制するものや（たとえば、特許文献１の請求項１及び２参照）、給湯装置の電源の一部を停止状態として給湯装置での電力消費を抑制するもの（たとえば、特許文献２の段落０００４参照）が提案されている。
【０００４】
一方、給湯装置ではないがガステーブルこんろについての省電力モードとして、制御用のコントロール部（制御マイコン）を通常の動作モード（アクティブモード）から低電力消費モード（スリープモード）に遷移させるものも提案されている（特許文献３の段落００１３参照）。
【先行技術文献】
【特許文献】
【０００５】
【特許文献１】特開２００６−２９６３４号公報
【特許文献２】特開平１１−３２５４６２号公報
【特許文献３】特開平９−１７０７５５号公報
【発明の概要】
【発明が解決しようとする課題】
【０００６】
このように、給湯装置の省電力モードには従来より様々なものが提案されているが、給湯装置における省電力モードとして、制御マイコンをスリープモードに遷移させるには以下のような問題があった。
【０００７】
すなわち、給湯装置の制御マイコンには給湯装置に備えられた様々なセンサからの出力信号が入力されるが、このようなセンサのなかには、たとえば、給湯装置の凍結予防に用いられる温度センサ（たとえば、サーミスタ）のように省電力モードであるか否かに関係なく監視が必要なセンサも含まれている。そして、このような温度センサは、温度をアナログ信号（電圧信号）で制御マイコンに入力するものであるからその出力信号は制御マイコンのＡ／Ｄ入力ポートに入力されるが、制御マイコンがスリープモードに遷移させた状態では、制御マイコンはＡ／Ｄ入力ポートに入力される信号を読み込めないため、温度センサの監視をすることができない。そのため、このようなセンサからの出力信号が入力される制御マイコンについてはスリープモードに遷移させることができなかった。
【０００８】
また、給湯装置が給湯待機状態で省電力モードに移行している場合には、この状態で給湯栓が開栓されるなどして給湯装置内に一定量（最低作動通水量）を超える通水が生じると、給湯装置は給湯運転（燃焼運転）を開始する必要があるところ、このような水量の検出は、周知の如く、水量に応じて回転する回転子の回転数に応じたパルス信号として制御マイコンに与えられている。そのため、制御マイコンをスリープモードに遷移させる構成を採用する場合には、このパルス信号の入力をトリガとしてアクティブモードに復帰させることが考えられるが、そのように構成すると、最低作動通水量に満たないごく小さなパルス（回転子のわずかな動き）であっても制御マイコンがアクティブモードに復帰してしまう場合がある。つまり、パルス信号の入力をトリガとして制御マイコンをアクティブモードに復帰させたのでは、スリープモードに遷移させる効果（省電力効果）が十分に得られないとの問題も生じる。
【０００９】
本発明は、このような問題点に鑑みてなされたものであって、その目的とするところは、センサの果たす役割を損なうことなく給湯装置の制御マイコンを省電力で運用し得る給湯装置を提供することにある。
【課題を解決するための手段】
【００１０】
上記目的を達成するため、本発明の請求項１に係る給湯装置は、給湯装置各部を制御する制御マイコンを備えた制御部を有し、給湯装置が一定の条件を満たすと上記制御部が通常モードから給湯装置の消費電力を抑制する省電力モードに移行する給湯装置において、上記制御マイコンは、上記通常モードにあるときにはアクティブモードとされ、上記省電力モードにあるときにはアクティブモードからスリープモードに遷移するように構成され、上記給湯装置が備えるセンサの出力信号を上記制御マイコンに入力するための入力回路として、上記通常モード時に上記センサの出力信号を上記制御マイコンに入力する第１入力回路と、上記省電力モード時に上記センサの出力信号に基づいて上記制御マイコンの割り込み要求信号を生成し、上記制御マイコンのキー割り込み入力端子に入力する第２入力回路とを備え、上記制御マイコンは、上記第２入力回路からの割り込み要求信号に基づいて、上記スリープモードから上記アクティブモードに復帰して上記省電力モードを解除する制御構成を備えていることを特徴とする。
【００１１】
すなわち、請求項１に係る給湯装置は、一つのセンサに対して、給湯装置が通常モードにあるとき、すなわち制御マイコンがアクティブモードにあるときに当該センサの出力信号を制御マイコンに入力するための第１入力回路と、給湯装置が省電力モードにあるとき、すなわち制御マイコンがスリープモードにあるときに当該センサの出力信号を制御マイコンに入力するための第２入力回路とを設けている。つまり、制御マイコンがアクティブモードにあるときとスリープモードにあるときで異なる入力回路を介して制御マイコンにセンサの出力信号が入力されるように構成しているので、たとえば、第１入力回路はセンサの出力信号をそのまま制御マイコンに入力する回路とし、第２入力回路はセンサの出力信号を加工して制御マイコンに入力する回路（具体的には、スリープモードでも制御マイコンが読み取り可能な信号に加工する回路）とすることができる。そのため、本発明によれば、制御マイコンがスリープモードにある場合であっても、必要に応じて適宜第２入力回路の信号をトリガとして制御マイコンをスリープモードからアクティブモードに復帰させることができる。
【００１３】
また、本発明に係る給湯装置は、上記第１入力回路の出力と第２入力回路の出力とが制御マイコンの異なる入力ポートに接続される。すなわち、第１入力回路が制御マイコンのＡ／Ｄ入力ポートやパルス信号などのデジタル信号（センサの出力信号）を読み取るための入力ポートに接続され、第２入力回路が制御マイコンにおいてスリープモードを解除（スリープモードからアクティブモードに復帰）させるキー割り込み入力端子に接続されることにより、第２入力回路からの出力信号をトリガとしてマイコンのスリープモードを解除し、ひいては給湯装置の省電力モードを解除させることができる。
【発明の効果】
【００１７】
本発明によれば、一つのセンサに対して、給湯装置が通常モードにあるときに当該センサの出力信号を制御マイコンに入力するための第１入力回路と、給湯装置が省電力モードにあるときにセンサの出力信号に基づいて制御マイコンの割り込み要求信号を生成し、制御マイコンのキー割り込み入力端子に入力する第２入力回路とを備えているので、制御マイコンがスリープモードにあって第１入力回路から入力される信号を読み込めない場合であっても、第２入力回路の信号をトリガとして制御マイコンをアクティブモードに復帰させることができる。したがって、センサの役割（たとえば、凍結予防用の温度監視機能）を損なうことなく制御マイコンをスリープモードに遷移させることができ、給湯装置の省電力モードにおいて制御マイコンの消費電力を抑制することができる。
【００１８】
また、第１入力回路の出力が、スリープモードにあるときでも読み取り可能な入力ポートに接続されている場合であっても、所定の条件を満たさなければ第２入力回路からの出力が出ないように構成し、かつ、この第２入力回路の出力をトリガとして制御マイコンがアクティブモードに復帰するように構成することで、一旦スリープモードに遷移した制御マイコンが、センサのわずかな出力でアクティブモードに復帰するのを防止でき、制御マイコンの省電力効果を高めることができる。
【図面の簡単な説明】
【００１９】
【図１】本発明に係る給湯装置の概略構成の一例を示す説明図である。
【図２】本発明に係る給湯装置における温度センサの信号入力回路の一例を示す回路図である。
【図３】同給湯装置における水量センサの信号入力回路の一例を示す回路図である。
【発明を実施するための形態】
【００２０】
以下、本発明の実施形態を図面に基づいて詳細に説明する。
本発明は、給湯装置における省電力モードにおいて、給湯装置の制御部を構成する制御マイコンを通常の動作モードであるアクティブモードから低消費電力であるスリープモードに遷移させる技術に関する。
【００２１】
ここで、給湯装置の構成は周知であるのでその詳細な説明は省略するが、その概要は、以下のとおりである。すなわち、この種の給湯装置は、図１に示すように、給水源となる水道本管Ａから分岐された給水配管Ｂと接続される入水管１と、この入水管１から供給される入水の加熱手段を構成する熱交換器２と、熱交換器２で加熱された温水を給湯栓Ｃに接続された給湯配管Ｄに導く出湯管３とを主要部として備えている。
【００２２】
上記入水管１には、給水配管Ｂを介して供給される水の入水温度を検出するための入水温度センサ６と、熱交換器２への通水量（水量）を検出するための水量センサ７とが設けられており、上記出湯管３には、熱交換器２によって加熱された温水の温度を検出するための缶体温度センサ８と、出湯管３からの出湯温度を検出するための出湯温度センサ９とが設けられている。
【００２３】
そして、１０は給湯装置の制御部であり、この制御部１０には給湯装置各部を制御するためのプログラムが搭載された制御マイコン１０ａ（図２、図３参照）が備えられている。また、１１は給湯装置の遠隔操作装置であるリモコンであり、このリモコン１１には図示しない表示部と操作部とが備えられており、この操作部１１の操作によって給湯設定温度が設定される。
【００２４】
ここで、上記入水温度センサ６、缶体温度センサ８および出湯温度センサ９は、いずれも温度によって電気抵抗の抵抗値が変化するサーミスタの抵抗値を電圧信号（アナログ信号）として取り出すセンサで構成されており、これら各センサの出力信号は上記制御部１０に入力される。一方、上記水量センサ７は、通水流量（水量）に応じて回転する回転子を備え、この回転子の回転（回転数）に応じたパルス信号を出力するセンサで構成されている。
【００２５】
そして、このように構成された給湯装置においては、リモコン１１の運転スイッチ（給湯装置に最低作動通水量を超える通水があると燃焼部が燃焼を開始できる状態、つまり、給湯装置を給湯待機状態にするスイッチ）がオンにされた状態で、給湯装置の水量センサ７で最低作動通水量を超える通水が検出されると、制御部１０は、入水管１から熱交換器２に供給される水量（水量センサ７の検出値）と、入水温度（入水温度センサ６の検出値）と、リモコン１１で設定された給湯設定温度とに基づいて、出湯管３から給湯設定温度の温水が出湯されるように、熱交換器２を加熱する燃焼部（図示せず）の燃焼制御を行うように構成されている。リモコン１１の運転スイッチがオフの場合には、給湯装置に最低作動通水量を超える通水があっても、制御部１０は燃焼運転を行わない。つまり、運転スイッチがオフの状態で給湯栓Ｃが開栓された場合には、入水管１から供給される水が非加熱のまま給湯栓Ｃに供給される。
【００２６】
なお、この図１に示す給湯装置は、このような給湯装置の基本構成に加えて、さらに上記入水管１と出湯管３との間に熱交換器２をバイパスするバイパス管４を備えているが、このバイパス管４は、熱交換器２で加熱された温水が給湯設定温度よりも高い場合に、当該温水に入水管１からの水を混合して給湯設定温度の出湯が得られるようにするためのものであり、このバイパス管４には温水に混合させる水の量を調節するためのバイパス流量調整弁５が設けられている。
【００２７】
また、この図１に示す給湯装置は、上記給湯装置内部の適所に適当数（図示例では入水管１の上流部の１箇所）の凍結予防ヒータＥを備えている。この凍結予防ヒータＥは、給湯装置内部の配管の凍結を防止するためのヒータであって、入水温度センサ６で検出される温度があらかじめ設定された所定の凍結予防温度以下となった場合に、制御部１０の制御によって作動する加熱手段で構成される。この図１に示す給湯装置では、上記入水温度センサ６を凍結予防用の温度センサとして用いているが、凍結予防用の温度センサは凍結予防ヒータＥを作動させるか否かを判断するために設けられるものであるので、入水温度センサ６以外の温度センサ、たとえば、給湯装置の設置場所の雰囲気温度を検出するための温度センサを別途設けるなどして、この温度センサを凍結予防用の温度センサとして用いてもよい。
【００２８】
ところで、このように構成された給湯装置においても、上述した従来の給湯装置と同様に、給湯装置が一定の条件（たとえば、上記運転スイッチのオフまたは運転スイッチがオンの給湯待機状態で燃焼部の非燃焼状態が一定時間継続するなどの所定の条件）を満たすと、制御部１０は、給湯装置（リモコン１１を含む）の消費電力を抑制する省電力モードに移行するように構成されている。
【００２９】
具体的には、この省電力モードに移行すると、制御部１０の制御によって、リモコン１１の表示部を非表示状態としたり、給湯装置の電源部（図示せず）の一部を停止させるなどの処理が行われる。そして、この省電力モードは、たとえば、上記運転スイッチがオフからオンになったときや、給湯待機状態で給湯装置に最低作動通水量を超える通水が検出されるなどすると解除され、給湯装置は通常の動作モードに復帰する。
【００３０】
本発明に係る給湯装置では、この給湯装置の省電力モードにおいて、上記制御部１０の制御マイコン１０ａ（図２、図３参照）を、通常の動作モードであるアクティブモードから低電力消費モードであるスリープモードに遷移させることができるように、以下の構成を備えている。
【００３１】
ここで、制御マイコン１０ａのスリープモードとは、汎用のマイコンが一般的に備えるスリープモード機能と同様であり、ＣＰＵ以外の機能（システムクロック発振器及びサブクロック発振器と内蔵周辺モジュール）は動作させた状態でＣＰＵの動作を停止させる動作モードを意味している。そして、この制御マイコン１０ａでは、制御マイコンのキー割り込み入力端子にエッジ信号である割り込み要求信号が入力されることによって解除され、アクティブモードに遷移（復帰）するように構成されている。
【００３２】
図２は、凍結予防用の温度センサ（本実施形態では入水温度センサ６）の信号入力回路を示している。図２に示すように、この温度センサはサーミスタ２０の抵抗値の変化を電圧信号（アナログ信号）として取り出すセンサであって、サーミスタ２０とプルアップ抵抗２１の分圧値（サーミスタ２０とプルアップ抵抗２１の接続点Ｘの電圧）Ｖｘを制御マイコンのＡ／Ｄ入力ポートに入力する信号入力回路（第１入力回路）と、この分圧値Ｖｘをコンパレータ２２で所定の基準電圧Ｖrefと比較し、上記分圧値Ｖｘが基準電圧Ｖrefを超えるとトランジスタ２３がオンになって、マイコン１０ａのキー割り込み入力端子にエッジ信号（割り込み要求信号）が与えられる信号入力回路（第２入力回路）とを備えている。
【００３３】
具体的には、制御マイコン１０ａは、当該マイコン１０ａがアクティブモードにあるとき、つまり、給湯装置が通常モードにあるときには、上記Ａ／Ｄ入力ポートに入力される電圧信号Ｖｘを凍結予防監視用のしきい値電圧（凍結予防運転が必要な状態を検知するために設定されるしきい値）Ｖｙと比較し、この電圧信号Ｖｘが上記しきい値Ｖｙを超えると、上記凍結予防ヒータＥを作動させて凍結予防処理を開始する。つまり、ヒータＥにより給湯装置内部の配管を加熱して配管の凍結を防止する。
【００３４】
一方、給湯装置が省電力モードに移行し、制御マイコン１０ａがスリープモードに遷移していると、上記Ａ／Ｄ入力ポートに入力される電圧信号Ｖｘを制御マイコン１０ａで読み込むことができなくなるが、この場合は、上記第２入力回路により凍結予防用の温度センサの出力を監視する。
【００３５】
ここで、この第２入力回路では、上記コンパレータ２２の基準電圧Ｖrefとして上記凍結予防監視用のしきい値電圧Ｖｙが用いられる。そして、上記接続点Ｘの電圧値Ｖｘが凍結予防監視用のしきい値電圧Ｖｙを超えるとオペアンプ２２からＨｉ信号が出力されトランジスタ２３がオンとなって、キー割り込み入力端子に与えられる電圧が５Ｖ（Ｖｃｃ）から接地電位である０Ｖに反転する。
【００３６】
これにより、制御マイコン１０ａに割り込み要求信号が与えられることになり、制御マイコン１０ａはスリープモードからアクティブモードに遷移し、上記Ａ／Ｄ入力ポートに与えられる電圧信号の読み込みが可能になる。そして、この場合、Ａ／Ｄ入力ポートには、上記しきい値電圧Ｖｙを超える電圧信号Ｖｘが与えられるので、制御マイコン１０ａは、上記凍結予防ヒータＥを作動させて凍結予防処理を開始する。
【００３７】
このように、本実施形態の給湯装置では、制御マイコン１０ａがアクティブモードにあるときと、スリープモードにあるときとで、凍結予防用の温度センサの出力信号を制御マイコン１０ａの異なる入力ポートで監視する。そして、制御マイコン１０ａがスリープモードにあるときは、上記第２入力回路からの入力信号に基づいて（具体的には第２入力回路の出力の反転に基づいて）スリープモードを解除するように構成しているので、制御マイコン１０ａがスリープモードにある状態で、凍結予防用の温度センサが凍結予防運転が必要な状態（凍結予防温度）を検出すると、制御マイコン１０ａがアクティブモードに復帰して凍結予防処理が実行される。したがって、給湯装置が省電力モードに移行するのに伴って制御マイコン１０ａをスリープモードに遷移させても凍結予防用の温度センサの役割が損なわれることがなく、制御マイコン１０ａをスリープモードに遷移させることができる。
【００３８】
そして、本実施形態では、このように制御マイコン１０ａがスリープモードからアクティブモードに復帰すると、制御部１０は、そのタイミングに合わせて給湯装置の省電力モードを解除する。
【００３９】
なお、図２に示す温度センサの信号入力回路は、制御マイコン１０ａがスリープモードにあるときでもセンサ出力の監視が必要な温度センサ、つまり、凍結予防用の温度センサの信号入力回路を示すもので、制御マイコン１０ａがスリープモードにあるときにはセンサ出力の監視が必要でない温度センサ、たとえば、上記缶体温度センサ８や出湯温度センサ９については、上記第１入力回路のみを設ければよく、第２入力回路（コンパレータ２２やトランジスタ２３など）を設ける必要はない。
【００４０】
図３は、水量センサ７の信号入力回路を示している。上述したように、給湯装置が給湯待機状態にある場合には、給湯装置に最低作動通水量を超える通水が生じると、給湯運転を開始しなければならない。そのため、給湯待機状態で制御マイコン１０ａをスリープモードに遷移させる構成を採用するためには、水量センサ７で通水検知することによって制御マイコン１０ａをアクティブモードに復帰させるための構成が必要となる。
【００４１】
しかし、水量センサ７から出力されるパルス信号をそのままアクティブモードに復帰させるトリガに使用したのでは、最低作動通水量に満たないごくわずかな水量の検知（センサの回転子のわずかな動き）を検出した場合にも制御マイコン１０ａがアクティブモードに復帰してしまうという問題がある。図３はこのような問題を解消する水量センサ７の信号入力回路を示している。
【００４２】
具体的には、図３に示すように、この水量センサ７の信号入力回路は、水量センサ７から出力されるパルス信号を制御マイコン１０ａの入力ポートに入力する信号入力回路（第１入力回路）と、水量センサ７から出力されるパルス信号をコンパレータ２５，２６とＡＮＤ回路２７を介して制御マイコン１０ａのキー割り込み入力端子（図２に示すキー割り込み入力端子とは別の端子）に入力する信号入力回路（第２入力回路）とを備えている。
【００４３】
より詳細には、制御マイコン１０ａは、当該マイコン１０ａがアクティブモードにあるとき、つまり、給湯装置が通常モードにあるときには、上記入力ポートに入力されるパルス信号に基づいて水量センサ７の検出値（水量）を読み込む。
【００４４】
これに対して、給湯装置が省電力モードに移行し、制御マイコン１０ａがスリープモードに遷移していると、入力ポートに入力されるパルス信号は制御マイコン１０ａで読み込めないので、この場合は、上記第２入力回路により水量センサ７の出力を監視する。
【００４５】
すなわち、この第２入力回路では、水量センサ７から出力されるパルス信号を抵抗２８とコンデンサ２９とで平滑してアナログ信号を得るとともに、コンパレータ２５，２６を用いてこのアナログ信号の電圧が所定レベルの範囲（コンパレータ２５の基準電圧より高く、コンパレータ２６の基準電圧より低い範囲）にある場合にのみＡＮＤ回路２７からキー割り込み入力端子に割り込み要求信号となるエッジ信号が入力されるように構成されている。つまり、この第２入力回路を介することにより、たとえば、水量センサ７の回転子のわずかな動きによって水量センサ７から出力される微小電圧信号や、水量センサ７の出力とは考えられないような高い電圧ノイズはこれらコンパレータ２５，２６で排除され、水量センサ７が水量を検出したと判断できる適正な電圧範囲の信号が出力されたときにのみＡＮＤ回路２７からキー割り込み入力端子にエッジ信号が与えられる。
【００４６】
そして、制御マイコン１０ａに割り込み要求信号が与えられと、制御マイコン１０ａはスリープモードからアクティブモードに遷移し、上記入力ポートに与えられるパルス信号の読み込みが可能になる。つまり、制御マイコン１０ａは、水量センサ７で検出される水量の読み込みができるようになる。したがって、このときに最低作動通水量を超える通水が検出されると、制御マイコン１０ａは燃焼部の燃焼制御を開始することになる。
【００４７】
このように、本実施形態の給湯装置では、制御マイコン１０ａがアクティブモードにあるときと、スリープモードにあるときとで、水量センサ７の出力信号を制御マイコン１０ａの異なる入力ポートで監視する。そして、制御マイコン１０ａのスリープモードの解除は、上記第２入力回路において、水量センサ７の出力信号が所定のしきい値（コンパレータ２５，２６の基準電圧）を超えることを条件に第２入力回路の出力が反転し、これによってスリープモードが解除されるので、水量センサ７の回転子のわずかな動きなどで制御マイコン１０ａがアクティブモードに復帰することが防止される。したがって、水量センサ７の信号入力回路としてこの図３の信号入力回路を用いることにより、制御マイコン１０ａでの省電力効果を高めることができる。
【００４８】
なお、上述した実施形態は本発明の好適な実施態様を示すものであって、本発明はこれらに限定されることなく発明の範囲内で種々の設計変更が可能である。
【００４９】
たとえば、上述した実施形態では、凍結予防用の温度センサ（入水温度センサ６）と水量センサ７の信号入力回路に本発明を適用した場合について説明したが、これら以外のセンサについても本発明は適用可能である。
【００５０】
また、上述した実施形態では、給湯装置が省電力モードに移行する条件として、運転スイッチのオフまたは運転スイッチがオンの給湯待機状態で燃焼部の非燃焼状態が一定時間継続した場合を示したが、給湯装置を省電力モードに移行させる条件は適宜変更可能である。また、省電力モード時の内容についても、リモコン１１の表示部を非表示状態とすることや、給湯装置の電源部（図示せず）の一部を停止させることに限られず適宜変更可能である。要は、省電力モードの制御に、制御マイコン１０ａをスリープモードに遷移させることが含まれていればよい。
【００５１】
また、上述した実施形態では、制御マイコン１０ａのスリープモードからアクティブモードに復帰するタイミングに合わせて給湯装置の省電力モードを解除する場合について説明したが、制御マイコン１０ａのスリープモードを解除した後も給湯装置の省電力モードを維持するように構成してもよい。また、その場合、給湯装置の省電力モードは維持したままで、一部の電気回路に対する省電力制御のみを解除するように構成することも勿論可能である。
【００５２】
さらに、上述した実施形態では、凍結予防用の温度センサとして、一つの温度センサ（入水温度センサ６）を用いた場合を示したが、たとえば、入水温度センサ６と雰囲気温度センサ（図示せず）のように複数の温度センサを用いて、いずれかの温度センサにおいて凍結予防運転が必要な温度が検出された場合には、ＯＲ条件で凍結予防ヒータＥを作動させるように構成することも可能である。その場合、たとえば、各温度センサのそれぞれに図２における第２入力回路と同様の回路を備えさせ、一つのキー割り込み入力端子に対して、これら複数の第２入力回路の出力端を接続することにより、キー割り込み入力端子の数を増やすことなく、複数の温度センサを凍結予防用の温度センサとして使用することができる。これにより、たとえば、凍結予防ヒータＥが複数設けられている場合に、各ヒータＥごとに凍結予防用の温度センサを配置して各ヒータＥを個別に制御することも可能になる。
【００５３】
さらには、上述した実施形態では、凍結予防用の温度センサの第２入力回路の出力と、水量センサ７の第２入力回路の出力とが、制御マイコン１０の異なるキー割り込み入力端子に接続される場合を示したが、これは両者のエッジ信号が立下りと立ち上がりとで相違するからであり、水量センサ７の第２入力回路のＡＮＤ回路２７の出力側にＮＯＴ回路を設けるなどしてエッジ信号を統一することで、これら異なる種類のセンサの第２入力回路出力を一つのキー割り込み入力端子に接続することもできる。
【００５４】
なお、上述した実施形態では、コンパレータ２２，２５，２６の入力電圧が基準電圧の付近にとどまっている場合にコンパレータの出力が不安定とならないように、コンパレータにヒステリシス回路を追加することもできる。
【符号の説明】
【００５５】
１                入水管
２                熱交換器
３                出湯管
４                バイパス管
５                バイパス流量調整弁
６                入水温度センサ（凍結予防用の温度センサ）
７                水量センサ
８                缶体温度センサ
９                出湯温度センサ
１０              制御部
１０ａ            制御マイコン
２１              プルアップ抵抗
２２，２５，２６  コンパレータ
Ａ                水道本管
Ｂ                給水配管
Ｃ                給湯栓
Ｄ                給湯配管
Ｅ                凍結予防ヒータ
【図１】
0005434303.tif 000002
【図２】
0005434303.tif 000003
【図３】
0005434303.tif 000004